(57)【要約】【課題】外周に土砂流入防止のフィルタを有する排水材であっても該フィルタを傷つけることなく、無振動、無騒音、無排土で排水材の設置の施工ができる地山の排水材設置工法を提供する。【解決手段】ハンディタイプの電動振動またはハンマードリルによる駆動装置１と、この駆動装置１で回転させるもので、リング状スペイサー４を途中に介在させて筒状排水材６を非回転状態で装套させるロッド２と、装套させる筒状排水材６の前に位置するようにロッド２の先端に着脱自在に嵌着する尖り状の掘削ヘッド３とからなる。【選択図】  図１
2018040125.tif 000002
【特許請求の範囲】
【請求項１】
ハンディタイプの電動振動ドリルまたは電動ハンマードリルによる駆動装置と、この駆動装置で回転させるもので、リング状スペイサーを途中に介在させて筒状排水材を非回転状態で装套させるロッドと、装套させる筒状排水材の前に位置するようにロッド先端に着脱自在に嵌着する尖り状の掘削ヘッドとからなることを特徴とする排水材の配設装置。
【請求項２】
筒状排水材は、高密度ポリエチレンを材質とする網状排水管を、不織布フィルターおよびジオテキスタイルネットで覆った請求項１記載の排水材の配設装置。
【請求項３】
掘削ヘッドは円錐頭部に三角板状の掘削羽根を突設して設け、筒状排水材径よりも大きな掘削径である請求項１または請求項２記載の排水材の配設装置。
【発明の詳細な説明】
【技術分野】
【０００１】
本発明は、土砂崩落・擁壁崩落を防ぐために排水材を設置する場合の排水材の配設装置に関するものである。
【背景技術】
【０００２】
現在わが国では、気候変動に関連して１時間に降水量が50mm以上となるような“非常に激しい雨”が増加する傾向にあり、この結果として土砂災害の発生件数も増加する傾向にある。このような気候変動は降雪地域にも観られ、融雪期に土砂災害が増加する傾向にある。
【０００３】
近年の大規模な地震時には、谷を横切る盛土や大規模造成地における谷埋め部で盛土崩壊等の大きな被害が発生しており、これらの崩壊に地下水が関与していることが知られている。土構造物や斜面の崩壊は、これらに近接する道路、家屋等に対しても被害をもたらすため、被害規模が拡大する傾向がある。
【０００４】
降雨や融雪による地下水位の上昇は、盛土法面や斜面の安定性を低下させる。このため、排水王を整備することが定められているが、法整備以前の盛土等では、排水工が整備されていなかったり、排水工が整備されていたとしても機能低下している場合があり、これらが災害発生の一因となっている。
【０００５】
また、盛土内に地下水が長期間滞留することは、盛土材の劣化を招き、地震や豪雨時の盛土の安定性低下を助長する可能性が有ることが指摘されている。
【０００６】
降雨や融雪水を盛土や斜面内部から速やかに排出するために、法面・斜面に排水材・排水パイプを挿入・打設する対策手法がとられてきた。
【０００７】
下記特許文献１は鉄道の路盤斜面へ水抜パイプを打込む装置に関するものであり、路盤斜面へ上向きにレールを仮設し、バイブレータを搭載した台車を移送可能にし、バイブレータ先端には水抜パイプを接続する。
【特許文献１】特開平５−１７９３３号公報
【０００８】
また、下記特許文献２には、図８に示すように、本体１２が無限帯による走行を行うクローラ１１を介して移動可能になっているボーリング装置１０が示されている。
【特許文献２】特開２００７−３２７２９７号公報
【発明の概要】
【発明が解決しようとする課題】
【０００９】
前記特許文献１や特許文献２でもそうであるが、路盤斜面へ上向きにレールを仮設し、台車や打込み装置を移送可能にするなど装置が大掛かりなものである。
【００１０】
なお、鋼管に複数の孔を穿ち、先端はつぶして平坦部とした水抜パイプを排水材として設置する場合に作業者がハンマを大きく振り回して尾部を叩くか、或いはロープで仮設枠に懸垂する打撃棒を寺の鐘つき状に操作する方法がとられたが作業性の悪いものである。
【００１１】
本発明の目的は前記従来例の不都合を解消し、外周に土砂流入防止のフィルタを有する排水材であっても該フィルタを傷つけることなく、無振動、無騒音、無排土で設置の施工ができ、しかも、ハンディタイプを原則とするので、装置が大掛かりとなることなく、機動性に優れ、高所作業でも安全である排水材の配設装置を提供することにある。
【課題を解決するための手段】
【００１２】
前記目的を達成するため請求項１記載の本発明は、ハンディタイプの電動振動ドリルまたは電動ハンマードリルによる駆動装置と、この駆動装置で回転させるもので、リング状スペイサーを途中に介在させて筒状排水材を非回転状態で装套させるロッドと、装套させる筒状排水材の前に位置するようにロッド先端に着脱自在に嵌着する尖り状の掘削ヘッドとからなることを要旨とするものである。
【００１３】
請求項１記載の本発明によれば、排水材の先頭に設置した尖り状の掘削ヘッドで掘削しながら排水材を設置するので、打撃に比べて無理なく設置できる。
【００１４】
駆動装置は電動振動ドリルまたは電動ハンマードリルによるハンディタイプのものであり、設置架台やレール等の不要で、操作が簡単で、運搬等機動性にもすぐれる。さらに、充電タイプのコードレスである。
【００１５】
ロッドはリング状スペイサーを途中に介在させて筒状排水材を装套させるので、ロッドの回転は掘削ヘッドのみに伝わり、排水材には伝わらないので、排水材は非回転で押し入れることができ、外周に土砂流入防止のフィルタを有する排水材であっても該フィルタを傷つけることなく、無振動、無騒音、無排土で設置できる。
【００１６】
請求項２記載の本発明は、筒状排水材は、高密度ポリエチレンを材質とする網状排水管を、不織布フィルターおよびジオテキスタイルネットで覆ったことを要旨とするものである。
【００１７】
請求項２記載の本発明によれば、排水材はこれを構成する合成樹脂製排水パイプは周壁に多数の透水孔が形成されて内外が連通された有孔管材によるものなので、ここから水を取り込むことができる。そして、透水孔を覆う不織布フィルタよって土砂が透水孔に流入するのをブロックすることができる。
【００１８】
また、透水性フィルタが外周側に配置されると、透水性フィルタは土や砂等に直接接することもあるが、その上をジオテキスタイルのネットで押えることで防護し、透水性フィルタが破損することを効果的に防止することができる。
【００１９】
請求項３記載の本発明は、掘削ヘッドは円錐頭部に三角板状の掘削羽根を突設して設け、筒状排水材径よりも大きな掘削径であることを要旨とするものである。
【００２０】
請求項３記載の本発明によれば、円錐頭部に三角板状の掘削羽根を突設して設け、筒状排水材径よりも大きな掘削径であるので、排水材を挿入していく孔を削孔して排水材を非回転で挿入でき、しかも、掘削ヘッドは排水材とともに地中に残置することで、排水材を無理なく設置できる。
【発明の効果】
【００２１】
以上述べたように本発明の排水材の配設装置は、外周に土砂流入防止のフィルタを有する排水材であっても該フィルタを傷つけることなく、無振動、無騒音、無排土で設置の施工ができ、しかも、ハンディタイプを原則とするので、装置が大掛かりとなることなく、機動性に優れ、高所作業でも安全であるものである。
【発明を実施するための形態】
【００２２】
以下、図面について本発明の実施の形態を詳細に説明する。図１は本発明の排水材の配設装置の１実施形態を示す縦断側面図、図３は同上部品構成を示す説明図で、図中１は駆動装置であり、これはハンディタイプの電動振動ドリルまたは電動ハンマードリルによるものである。
【００２３】
この駆動装置１には市販のコード付きＡＣ電源の電気ドリルまたは充電式の二次電池（バッテリー）を使用したコードレスドリルを使用することができる。
【００２４】
本発明の排水材の配設装置は前記駆動装置１と、この駆動装置で回転させるロッド２と、ロッド２の先端に着脱自在に嵌着する尖り状の掘削ヘッド３とからなる。
【００２５】
図示は省略するが、ロッド２は中空パイプでもよく、また、ネジカップラーやネジ継手１７で、複数を接続し、長さを長くできるものである。
【００２６】
図中１３は尖り状の掘削ヘッド３へのジョイント、１４，１５は駆動装置１へのジョイントである。
【００２７】
ロッド２には途中にリング状スペイサー４を介在させて筒状排水材を非回転状態で装套させる。このリング状スペイサー４は筒状排水材６の内周にその外周が当接して筒状排水材６を支承する。
【００２８】
また、筒状排水材６の後端に当接させるリング状スペイサー１６も途中に介在させる。
【００２９】
図２に掘削ヘッド３の詳細を示すが、掘削ヘッド３は、ロッド２の先端のボス１８が嵌るボス孔３ｃを本体部の後端中空部に形成し、円錐頭部３ａに三角板状の掘削羽根３ｂを突設して設け、筒状排水材６の径よりも大きな掘削径である。
【００３０】
なお、ボス１８とボス孔３ｃの関係はボス１８をボス孔３ｃから簡単に抜き出させるとともに、ロッド２の回転力を確実に掘削ヘッド３に伝えることができるものとして、例えば矩形形状（正方形）を選択してもよい。
【００３１】
筒状排水材６は、図４に示すように、排水管７を、不織布フィルタ８およびジオテキスタイルネット９で覆ったもので、ジオテキスタイルネット９によるフィルタ防護ネットにより、施工中にフィルタが破損することを防止している。
【００３２】
また、排水管７には高密度ポリエチレンを材質として図６に示すように、網状開口部７ａ（開口率７〜１５％）と無開口部分７ｂを有するもので、大日本プラスチック株式会社の商品名ネトロンパイプ（登録商標）が好適である。
【００３３】
不織布フィルタ８は、その厚みが例えば１ｍｍ、２ｍｍ程度の不織布であり、熱可塑性樹脂製（ポリエステル、ポリプロピレン等製）である。
【００３４】
ジオテキスタイルネット９は、ジオグリッドには延伸ポリプロピレンテープ製の芯材に、エチレン・酢酸ビニル共重合樹脂を被覆した帯体を格子状に織り、交点を加熱融着により一体化した構造のセルフォース（旭化成工業株式会社の登録商標名）が好適であり、補強材として必要な引張強度特性、クリープ特性、耐衝撃性、耐久性、土との摩擦特性、耐薬品性に優れている。
【００３５】
セルフォースは、特に、耐衝撃性においては盛土材料が岩ずりでも、敷き均し転圧時の損傷による強度低下が小さく（強度保持率９４％以上）、安全性の高い土構造物が構築できるものであり、クリープ低減係数が大きく（０．６５）、本発明においてこのようなジオテキスタイルネット９で不織布フィルタ８を外側から被覆保護した。ジオテキスタイルネット９の固定はクリップ止もしくは接着により行う。
【００３６】
本発明装置は尖り状の掘削ヘッド３を前記排水材６の先頭に設置し、排水材６の内部に挿通するロッド２で掘削ヘッド３を回転させながら地山に掘進させる。
【００３７】
図６に示すように石垣やコンクリートの法面で、既設排水パイプ５が設置されている場合は、掘削ヘッド３を排水材６の先端に置き、ロッド２を排水材６内を貫通させ、後端にハンディタイプの駆動機１をセットする。
【００３８】
既設排水パイプ５の中を掘進させ、既設排水パイプ５の先から排水材６が出るようにして掘進を続ける。
【００３９】
その後、掘削ヘッド３および排水材６を残してロッド２を引き抜けば排水材６の設置が完了し、既設排水パイプ５の先から出た排水材６の部分が集水部として機能する。
【００４０】
ロッド２を引き抜く際には、リング状スペイサー４は排水材６を残して同様に回収できる。
【００４１】
以上の実施形態は既設排水パイプ５が設置されている場合の再生の場合について説明したが、このような既設排水パイプ５がない場合には、図７に示すように、コアボーリング１９を行い、そこに単管パイプ２０をガイドとして設置し、同様に排水材６を設置する。
【００４２】
このように排水材６を新設の排水管として設置する場合、新規盛土の暗渠、親存盛土の排水工、水抜きパイプがない擁壁や自然斜面への排水工等、様々な分野でも本発明は適用できる。
【図面の簡単な説明】
【００４３】
【図１】本発明の排水材の配設装置の１実施形態を示す縦断側面図である。
【図２】掘削ヘッドの斜視図である。
【図３】本発明の排水材の配設装置の１実施形態を示す部品構成を示す説明図である。
【図４】排水材の説明図である。
【図５】排水材の斜視である。
【図６】本発明装置を用いた施工の１例を示す説明図である。
【図７】本発明装置を用いた施工の他の１例を示す説明図である。
【図８】従来例を示す側面図である。
【符号の説明】
【００４４】
１…駆動装置                  ２…ロッド
３…掘削ヘッド                ３ａ…円錐頭部
３ｂ…掘削羽根                ３ｃ…ボス孔
４…スペイサー                ５…既設排水パイプ
６…排水材                    ７…配水管
８…不織布フィルタ            ９…ジオテキスタイルネット
１０…ボーリング装置          １１…クローラ
１２…本体                    １３，１４，１５…ジョイント
１６…リング状スペイサー      １７…ネジ継手
１８…ボス                    １９…コアボーリング
２０…単管パイプ
【図１】
2018040125.tif 000003
【図２】
2018040125.tif 000004
【図３】
2018040125.tif 000005
【図４】
2018040125.tif 000006
【図５】
2018040125.tif 000007
【図６】
2018040125.tif 000008
【図７】
2018040125.tif 000009
【図８】
2018040125.tif 000010
【手続補正書】
【提出日】平成29年10月30日(2017.10.30)
【手続補正１】
【補正対象書類名】明細書
【補正対象項目名】全文
【補正方法】変更
【補正の内容】
【発明の詳細な説明】
【技術分野】
【０００１】
本発明は、土砂崩落・擁壁崩落を防ぐために排水材を設置する場合の排水材の配設装置に関するものである。
【背景技術】
【０００２】
現在わが国では、気候変動に関連して１時間に降水量が50mm以上となるような“非常に激しい雨”が増加する傾向にあり、この結果として土砂災害の発生件数も増加する傾向にある。このような気候変動は降雪地域にも観られ、融雪期に土砂災害が増加する傾向にある。
【０００３】
近年の大規模な地震時には、谷を横切る盛土や大規模造成地における谷埋め部で盛土崩壊等の大きな被害が発生しており、これらの崩壊に地下水が関与していることが知られている。土構造物や斜面の崩壊は、これらに近接する道路、家屋等に対しても被害をもたらすため、被害規模が拡大する傾向がある。
【０００４】
降雨や融雪による地下水位の上昇は、盛土法面や斜面の安定性を低下させる。このため、排水王を整備することが定められているが、法整備以前の盛土等では、排水工が整備されていなかったり、排水工が整備されていたとしても機能低下している場合があり、これらが災害発生の一因となっている。
【０００５】
また、盛土内に地下水が長期間滞留することは、盛土材の劣化を招き、地震や豪雨時の盛土の安定性低下を助長する可能性が有ることが指摘されている。
【０００６】
降雨や融雪水を盛土や斜面内部から速やかに排出するために、法面・斜面に排水材・排水パイプを挿入・打設する対策手法がとられてきた。
【０００７】
下記特許文献１は鉄道の路盤斜面へ水抜パイプを打込む装置に関するものであり、路盤斜面へ上向きにレールを仮設し、バイブレータを搭載した台車を移送可能にし、バイブレータ先端には水抜パイプを接続する。
【特許文献１】特開平５−１７９３３号公報
【０００８】
また、下記特許文献２には、図８に示すように、本体１２が無限帯による走行を行うクローラ１１を介して移動可能になっているボーリング装置１０が示されている。
【特許文献２】特開２００７−３２７２９７号公報
【発明の概要】
【発明が解決しようとする課題】
【０００９】
前記特許文献１や特許文献２でもそうであるが、路盤斜面へ上向きにレールを仮設し、台車や打込み装置を移送可能にするなど装置が大掛かりなものである。
【００１０】
なお、鋼管に複数の孔を穿ち、先端はつぶして平坦部とした水抜パイプを排水材として設置する場合に作業者がハンマを大きく振り回して尾部を叩くか、或いはロープで仮設枠に懸垂する打撃棒を寺の鐘つき状に操作する方法がとられたが作業性の悪いものである。
【００１１】
本発明の目的は前記従来例の不都合を解消し、外周に土砂流入防止のフィルタを有する排水材であっても該フィルタを傷つけることなく、無振動、無騒音、無排土で設置の施工ができ、しかも、ハンディタイプを原則とするので、装置が大掛かりとなることなく、機動性に優れ、高所作業でも安全である排水材の配設装置を提供することにある。
【課題を解決するための手段】
【００１２】
前記目的を達成するため請求項１記載の本発明は、ハンディタイプの電動振動ドリルまたは電動ハンマードリルによる駆動装置と、この駆動装置で回転させるもので、リング状スペイサーを途中に介在させて、高密度ポリエチレンを材質とする網状排水管を、不織布フィルターおよびジオテキスタイルネットで覆った筒状排水材を非回転状態で装套させるロッドと、装套させる筒状排水材の前に位置するようにロッド先端に着脱自在に嵌着する尖り状の掘削ヘッドとからなることを要旨とするものである。
【００１３】
請求項１記載の本発明によれば、排水材の先頭に設置した尖り状の掘削ヘッドで掘削しながら排水材を設置するので、打撃に比べて無理なく設置できる。
【００１４】
駆動装置は電動振動ドリルまたは電動ハンマードリルによるハンディタイプのものであり、設置架台やレール等の不要で、操作が簡単で、運搬等機動性にもすぐれる。さらに、充電タイプのコードレスである。
【００１５】
ロッドはリング状スペイサーを途中に介在させて筒状排水材を装套させるので、ロッドの回転は掘削ヘッドのみに伝わり、排水材には伝わらないので、排水材は非回転で押し入れることができ、外周に土砂流入防止のフィルタを有する排水材であっても該フィルタを傷つけることなく、無振動、無騒音、無排土で設置できる。
【００１６】
また、排水材はこれを構成する合成樹脂製排水パイプは周壁に多数の透水孔が形成されて内外が連通された有孔管材によるものなので、ここから水を取り込むことができる。そして、透水孔を覆う不織布フィルタよって土砂が透水孔に流入するのをブロックすることができる。
【００１７】
さらに、透水性フィルタが外周側に配置されると、透水性フィルタは土や砂等に直接接することもあるが、その上をジオテキスタイルのネットで押えることで防護し、透水性フィルタが破損することを効果的に防止することができる。
【００１８】
請求項２記載の本発明は、ハンディタイプの電動振動ドリルまたは電動ハンマードリルによる駆動装置と、この駆動装置で回転させるもので、リング状スペイサーを途中に介在させて筒状排水材を非回転状態で装套させるロッドと、装套させる筒状排水材の前に位置するようにロッド先端に着脱自在に嵌着する尖り状の掘削ヘッドとからなり、掘削ヘッドは円錐頭部に三角板状の掘削羽根を突設して設け、筒状排水材径よりも大きな掘削径であることを要旨とするものである。
【００１９】
請求項２記載の本発明によれば、円錐頭部に三角板状の掘削羽根を突設して設け、筒状排水材径よりも大きな掘削径であるので、排水材を挿入していく孔を削孔して排水材を非回転で挿入でき、しかも、掘削ヘッドは排水材とともに地中に残置することで、排水材を無理なく設置できる。
【発明の効果】
【００２０】
以上述べたように本発明の排水材の配設装置は、外周に土砂流入防止のフィルタを有する排水材であっても該フィルタを傷つけることなく、無振動、無騒音、無排土で設置の施工ができ、しかも、ハンディタイプを原則とするので、装置が大掛かりとなることなく、機動性に優れ、高所作業でも安全であるものである。
【発明を実施するための形態】
【００２１】
以下、図面について本発明の実施の形態を詳細に説明する。図１は本発明の排水材の配設装置の１実施形態を示す縦断側面図、図３は同上部品構成を示す説明図で、図中１は駆動装置であり、これはハンディタイプの電動振動ドリルまたは電動ハンマードリルによるものである。
【００２２】
この駆動装置１には市販のコード付きＡＣ電源の電気ドリルまたは充電式の二次電池（バッテリー）を使用したコードレスドリルを使用することができる。
【００２３】
本発明の排水材の配設装置は前記駆動装置１と、この駆動装置で回転させるロッド２と、ロッド２の先端に着脱自在に嵌着する尖り状の掘削ヘッド３とからなる。
【００２４】
図示は省略するが、ロッド２は中空パイプでもよく、また、ネジカップラーやネジ継手１７で、複数を接続し、長さを長くできるものである。
【００２５】
図中１３は尖り状の掘削ヘッド３へのジョイント、１４，１５は駆動装置１へのジョイントである。
【００２６】
ロッド２には途中にリング状スペイサー４を介在させて筒状排水材を非回転状態で装套させる。このリング状スペイサー４は筒状排水材６の内周にその外周が当接して筒状排水材６を支承する。
【００２７】
また、筒状排水材６の後端に当接させるリング状スペイサー１６も途中に介在させる。
【００２８】
図２に掘削ヘッド３の詳細を示すが、掘削ヘッド３は、ロッド２の先端のボス１８が嵌るボス孔３ｃを本体部の後端中空部に形成し、円錐頭部３ａに三角板状の掘削羽根３ｂを突設して設け、筒状排水材６の径よりも大きな掘削径である。
【００２９】
なお、ボス１８とボス孔３ｃの関係はボス１８をボス孔３ｃから簡単に抜き出させるとともに、ロッド２の回転力を確実に掘削ヘッド３に伝えることができるものとして、例えば矩形形状（正方形）を選択してもよい。
【００３０】
筒状排水材６は、図４に示すように、排水管７を、不織布フィルタ８およびジオテキスタイルネット９で覆ったもので、ジオテキスタイルネット９によるフィルタ防護ネットにより、施工中にフィルタが破損することを防止している。
【００３１】
また、排水管７には高密度ポリエチレンを材質として図６に示すように、網状開口部７ａ（開口率７〜１５％）と無開口部分７ｂを有するもので、大日本プラスチック株式会社の商品名ネトロンパイプ（登録商標）が好適である。
【００３２】
不織布フィルタ８は、その厚みが例えば１ｍｍ、２ｍｍ程度の不織布であり、熱可塑性樹脂製（ポリエステル、ポリプロピレン等製）である。
【００３３】
ジオテキスタイルネット９は、ジオグリッドには延伸ポリプロピレンテープ製の芯材に、エチレン・酢酸ビニル共重合樹脂を被覆した帯体を格子状に織り、交点を加熱融着により一体化した構造のセルフォース（旭化成工業株式会社の登録商標名）が好適であり、補強材として必要な引張強度特性、クリープ特性、耐衝撃性、耐久性、土との摩擦特性、耐薬品性に優れている。
【００３４】
セルフォースは、特に、耐衝撃性においては盛土材料が岩ずりでも、敷き均し転圧時の損傷による強度低下が小さく（強度保持率９４％以上）、安全性の高い土構造物が構築できるものであり、クリープ低減係数が大きく（０．６５）、本発明においてこのようなジオテキスタイルネット９で不織布フィルタ８を外側から被覆保護した。ジオテキスタイルネット９の固定はクリップ止もしくは接着により行う。
【００３５】
本発明装置は尖り状の掘削ヘッド３を前記排水材６の先頭に設置し、排水材６の内部に挿通するロッド２で掘削ヘッド３を回転させながら地山に掘進させる。
【００３６】
図６に示すように石垣やコンクリートの法面で、既設排水パイプ５が設置されている場合は、掘削ヘッド３を排水材６の先端に置き、ロッド２を排水材６内を貫通させ、後端にハンディタイプの駆動機１をセットする。
【００３７】
既設排水パイプ５の中を掘進させ、既設排水パイプ５の先から排水材６が出るようにして掘進を続ける。
【００３８】
その後、掘削ヘッド３および排水材６を残してロッド２を引き抜けば排水材６の設置が完了し、既設排水パイプ５の先から出た排水材６の部分が集水部として機能する。
【００３９】
ロッド２を引き抜く際には、リング状スペイサー４は排水材６を残して同様に回収できる。
【００４０】
以上の実施形態は既設排水パイプ５が設置されている場合の再生の場合について説明したが、このような既設排水パイプ５がない場合には、図７に示すように、コアボーリング１９を行い、そこに単管パイプ２０をガイドとして設置し、同様に排水材６を設置する。
【００４１】
このように排水材６を新設の排水管として設置する場合、新規盛土の暗渠、親存盛土の排水工、水抜きパイプがない擁壁や自然斜面への排水工等、様々な分野でも本発明は適用できる。
【図面の簡単な説明】
【００４２】
【図１】本発明の排水材の配設装置の１実施形態を示す縦断側面図である。
【図２】掘削ヘッドの斜視図である。
【図３】本発明の排水材の配設装置の１実施形態を示す部品構成を示す説明図である。
【図４】排水材の説明図である。
【図５】排水材の斜視である。
【図６】本発明装置を用いた施工の１例を示す説明図である。
【図７】本発明装置を用いた施工の他の１例を示す説明図である。
【図８】従来例を示す側面図である。
【符号の説明】
【００４３】
１…駆動装置                  ２…ロッド
３…掘削ヘッド                ３ａ…円錐頭部
３ｂ…掘削羽根                ３ｃ…ボス孔
４…スペイサー                ５…既設排水パイプ
６…排水材                    ７…配水管
８…不織布フィルタ            ９…ジオテキスタイルネット
１０…ボーリング装置          １１…クローラ
１２…本体                    １３，１４，１５…ジョイント
１６…リング状スペイサー      １７…ネジ継手
１８…ボス                    １９…コアボーリング
２０…単管パイプ
【手続補正２】
【補正対象書類名】特許請求の範囲
【補正対象項目名】全文
【補正方法】変更
【補正の内容】
【特許請求の範囲】
【請求項１】
ハンディタイプの電動振動ドリルまたは電動ハンマードリルによる駆動装置と、この駆動装置で回転させるもので、リング状スペイサーを途中に介在させて、高密度ポリエチレンを材質とする網状排水管を、不織布フィルターおよびジオテキスタイルネットで覆った筒状排水材を非回転状態で装套させるロッドと、装套させる筒状排水材の前に位置するようにロッド先端に着脱自在に嵌着する尖り状の掘削ヘッドとからなることを特徴とする排水材の配設装置。
【請求項２】
ハンディタイプの電動振動ドリルまたは電動ハンマードリルによる駆動装置と、この駆動装置で回転させるもので、リング状スペイサーを途中に介在させて筒状排水材を非回転状態で装套させるロッドと、装套させる筒状排水材の前に位置するようにロッド先端に着脱自在に嵌着する尖り状の掘削ヘッドとからなり、掘削ヘッドは円錐頭部に三角板状の掘削羽根を突設して設け、筒状排水材径よりも大きな掘削径であることを特徴とする排水材の配設装置。